(57)【要約】      （修正有）【課題】Ｘ線検出器のような放射線撮影デバイス用の保護筐体を提供する。【解決手段】放射線撮影デバイス用の筐体１０は、底部パネル１８と、底部パネル１８と一体的に形成された複数の側壁２０であって、複数の側壁２０および底部パネル１８は、一体型本体を画定する複数の側壁２０と、底部パネル１８に対向して複数の側壁２０に接合され、放射線撮影デバイス１００を収容するためにそれらの間に内部空間６０を画定する上部パネル５２とを含む。【選択図】図５
2019090784.tif 000002
【特許請求の範囲】
【請求項１】
放射線撮影デバイス（１００）用の筐体（１０）であって、
底部パネル（１８）と、
前記底部パネル（１８）と一体的に形成された複数の側壁（２０）であって、前記複数の側壁（２０）および前記底部パネル（１８）は、一体型本体を画定する複数の側壁（２０）と、
前記底部パネル（１８）に対向して前記複数の側壁（２０）に接合され、放射線撮影デバイス（１００）を収容するためにそれらの間に内部空間（６０）を画定する上部パネル（５２）と
を備える、筐体（１０）。
【請求項２】
前記複数の側壁（２０）の各側壁（２０）を分離する複数の切欠き（１４）と、
各切欠き（１４）内に配置され、前記一体型本体に固定されたコーナー部材（３０）と
をさらに備える、請求項１に記載の筐体（１０）。
【請求項３】
各コーナー部材（３０）が、実質的に同一である、請求項１に記載の筐体（１０）。
【請求項４】
各コーナー部材（３０）が、接着剤、エポキシ、ろう付け、溶接、液体ウレタン材料の埋め込み、ラミネーションおよびステークのうちの１つで前記一体型本体に接合される、請求項３に記載の筐体（１０）。
【請求項５】
前記一体型本体が、シート金属から形成される、請求項１に記載の筐体（１０）。
【請求項６】
前記上部パネル（５２）が、炭素繊維強化ポリマーから形成される、請求項５に記載の筐体（１０）。
【請求項７】
前記複数の側壁（２０）が各々、前記底部パネル（１８）から上方に延びる第１の上向き部分（２２）と、前記第１の上向き部分（２２）から前記底部パネル（１８）に向かって戻るように延び、丸みを付けたノーズ（２４）を画定する戻り部分（２４）と、前記底部パネル（１８）にほぼ平行に前記戻り部分（２４）から延び、前記上部パネル（５２）を支持するためにフランジ（２８）を画定する内向き突出部（２６）とを含む、請求項１に記載の筐体（１０）。
【請求項８】
前記第１の上向き部分（２２）が、前記筐体（１０）を支持する水平面と９０度未満の角度を形成する、請求項７に記載の筐体（１０）。
【請求項９】
前記フランジ（２８）が、前記上部パネル（５２）が前記丸みを付けたノーズ（２４）に対して挿入されるように、前記丸みを付けたノーズ（２４）の上部の下方に垂直距離だけ離間される、請求項７に記載の筐体（１０）。
【請求項１０】
前記内部空間（６０）内に受け入れられた非ガラスＸ線検出器をさらに備える、請求項１に記載の筐体（１０）。
【請求項１１】
前記筐体（１０）が、実質的に流体密封性である、請求項１に記載の筐体（１０）。
【請求項１２】
前記筐体（１０）が、実質的に矩形の形状であり、
前記複数のコーナー部材（３０）が、４つのコーナー部材（３０）である、請求項１に記載の筐体（１０）。
【請求項１３】
放射線撮影デバイス（１００）用の筐体（１０）を製造する方法であって、
材料のシート（１２）を曲げて複数の側壁（２０）および前記複数の側壁（２０）と一体的に形成された底部パネル（１８）を形成するステップと、
コーナー部材（３０）を各側壁（２０）の間の切欠き（１４）に挿入するステップと、
上部パネル（５２）を前記側壁（２０）および前記コーナー部材（３０）に固定し、放射線撮影デバイス（１００）を受け入れるために前記上部パネル（５２）、底部パネル（１８）、および複数の側壁（２０）の間に内部空間（６０）を画定するステップと
を含む、方法。
【請求項１４】
前記材料のシート（１２）を曲げる前に、前記材料のシート（１２）のコーナーをノッチ加工して前記切欠き（１４）を形成するステップをさらに含む、請求項１３に記載の方法。
【請求項１５】
前記コーナー部材（３０）と前記底部パネル（１８）および前記側壁（２０）の少なくとも１つとの間に重なりを形成するステップと、
前記コーナー部材（３０）と、前記重なりの領域で前記底部パネル（１８）および前記側壁（２０）の前記少なくとも１つとを接着するステップと
をさらに含む、請求項１４に記載の方法。
【発明の詳細な説明】
【技術分野】
【０００１】
本発明の実施形態は、一般に、撮像システムに関し、より具体的には、Ｘ線検出器のような放射線撮影デバイス用の保護筐体に関する。
【背景技術】
【０００２】
撮像システムは、医療分野と非医療分野の両方で様々な用途に利用されている。例えば、医療撮像システムは、一般的な放射線マンモグラフィ、Ｘ線Ｃアーム、トモシンセシス、およびコンピュータ断層撮影（ＣＴ）撮像システムを含む。それぞれの異なるトポロジを有するこれらの様々な撮像システムは、患者を通過する放射線（例えば、Ｘ線）の減衰に基づいて臨床診断のために患者の画像またはビューを生成するように使用される。あるいは、撮像システムはまた、産業品質管理、または旅客の荷物、パッケージ、および／もしくは貨物のセキュリティスクリーニングのような非医療用途に利用することができる。そのような用途では、容積または容積の一部（例えば、スライス）を表す取得されたデータおよび／または生成された画像が、目視検査から隠され、かつスクリーナにとって重要である対象物、形状または不規則性を検出するために使用され得る。
【０００３】
典型的には、医療用および非医療用の両方のＸ線撮像システムは、撮像プロセスで使用されるＸ線を生成するためにＸ線管を利用する。生成されたＸ線は、撮像した対象物を通過し、対象物の内部構造および組成に基づいて吸収または減衰され、異なる強度のＸ線ビームのマトリックスまたはプロファイルを生成する。減衰されたＸ線は、入射したＸ線エネルギーを画像再構成に使用可能な形態に変換するように設計されたＸ線検出器に当たる。したがって、減衰されたＸ線のＸ線プロファイルは、Ｘ線検出器によって検知され、記録される。典型的には、Ｘ線検出器は、フィルムスクリーン、コンピュータＸ線撮影（ＣＲ）またはデジタルＸ線撮影（ＤＲ）技術に基づいている。フィルムスクリーン検出器では、Ｘ線画像は、Ｘ線露光後の感光フィルムの化学的現像によって生成される。ＣＲ検出器では、蓄積蛍光体撮像プレートが放射線画像を捕捉する。次いで、プレートをレーザ画像リーダに移し、蛍光体からの潜像を「放出」し、デジタル化画像を生成する。ＤＲ検出器では、シンチレーション層がＸ線を吸収し、続いて光を生成し、その後、ケイ素光検出器の二次元（２Ｄ）フラットパネルアレイによって検出される。ケイ素光検出器における光の吸収は、電荷を生成する。制御システムは、Ｘ線検出器に記憶された電荷を電子的に読み出し、それを使用して視認可能なデジタル化Ｘ線画像を生成する。
【０００４】
デジタルＸ線検出器製造業者は、典型的には、ケイ素光検出器の２Ｄフラットパネルアレイをガラス基板（撮像パネル）に製造する。撮像パネルは壊れやすいため、したがって使用中にはある種のパネル支持体によって機械的に支持されなければならない。パネル支持体はまた、剛性を検出器パッケージ全体に提供する。さらに、外部ハウジングまたは筐体を設けて、撮像パネルを保護することができる。この外部筐体の一部は、一般に、入射した放射Ｘ線が撮像パネルに容易に到達することを可能にするために、低Ｘ線減衰特性を有する材料で構成される。
【０００５】
典型的には、パネル支持体および外部保護筐体は、フラットパネル基板および外部ハウジング内に配置された関連する読み出し電子構成要素に高度の機械的保護を提供するように、マグネシウムのような剛性の機械加工された金属で構成される。さらに、現在利用可能なＸ線検出器は、検出器が落下したり堅固な対象物に衝突した場合に機械的故障を起こしやすい、多くの脆弱な機械的継ぎ目とねじ締結具の両方を有する複数部品の金属外部筐体アセンブリに基づいている。
【先行技術文献】
【特許文献】
【０００６】
【特許文献１】米国特許出願公開第２０１６／０３３９５３７  Ａ１号
【発明の概要】
【発明が解決しようとする課題】
【０００７】
したがって、剛性材料から製造される従来のＸ線検出器の構成は、検出器が硬質表面上に落下する際に機械的故障を起こしやすい比較的重くて厚いＸ線検出器となる（すなわち、ケースが凹んだりまたは破損する可能性がある）。これは、複数の偶発的な衝撃荷重に耐えながら、理想的に軽量でなければならない可搬型Ｘ線検出器の設計において特に問題となる。しかしながら、これらの可搬型検出器は、典型的には、それらが落下したり、堅固な対象物に衝突したり、患者の荷重を受ける、例えば、撮像される患者の真下に配置される可能性がある環境で使用されるため、比較的厚くて重いパネル支持体および外部筐体が、敏感で壊れやすい撮像構成要素および読み出し電子機器を保護するために典型的には必要とされている。
【０００８】
したがって、コスト効率がよく耐衝撃性であり、既存の筐体よりも製造および組み立てが容易なＸ線検出器用の外側ケースまたは筐体を提供することが望ましい。
【課題を解決するための手段】
【０００９】
一実施形態では、放射線撮影デバイス用の筐体が提供される。筐体は、底部パネルと、底部パネルと一体的に形成された複数の側壁であって、複数の側壁および底部パネルは、一体型本体を画定する複数の側壁と、複数の側壁に接合され、放射線撮影デバイスを収容するためにそれらの間に内部空間を画定する上部パネルとを含む。
【００１０】
別の実施形態では、放射線撮影デバイス用の筐体を製造する方法が提供される。方法は、材料のシートを曲げて複数の側壁および複数の側壁と一体的に形成された底部パネルを形成するステップと、コーナー部材を各側壁の間の切欠きに挿入するステップと、上部パネルを側壁およびコーナー部材に固定し、放射線撮影デバイスを受け入れるために上部パネル、底部パネル、および複数の側壁の間に内部空間を画定するステップとを含む。
【００１１】
さらに別の実施形態では、撮像システム用の検出器が提供される。検出器は、底部パネルと、底部パネルと一体的に形成された複数の側壁であって、複数の側壁および底部パネルは、材料の単一のシートから形成された一体型本体を画定する複数の側壁と、複数の側壁に接合され、それらの間に内部空間を画定する上部パネルと、内部空間内に収容された放射線撮影検出器とを含む。
【００１２】
本発明は、非限定的な実施形態の以下の説明を、添付の図面を参照して読むことにより、よりよく理解されるであろう。
【図面の簡単な説明】
【００１３】
【図１】本発明の一実施形態による、Ｘ線検出器用の筐体の斜視図である。
【図２】図１の筐体の断面立面図である。
【図３】設置されたコーナー部材を示す、図１の筐体のコーナー部分の拡大斜視図である。
【図４】本発明の別の実施形態によるコーナー部材を示す、図１の筐体のコーナー部分の別の拡大斜視図である。
【図５】適所にあり、撮像システムの検出器を収容する上部パネルを示す、図１の筐体の一部の断面斜視図である。
【発明を実施するための形態】
【００１４】
以下、本発明の例示的な実施形態について詳しく説明するが、その例が添付の図面に示されている。可能な限り、図面全体を通して使用されている同一の参照符号は、同一または同様の部分を示し、重複する説明は省略する。
【００１５】
本発明の実施形態は、医療撮像、産業用撮像、および手荷物またはパッケージスクリーニングなどの様々な撮像システムで使用されるＸ線検出器用の筐体に関する。本発明は医療撮像の状況における例を提供するが、当業者であれば、産業用撮像、セキュリティスクリーニング、および／または手荷物もしくはパッケージ検査のような他の状況におけるこれらの検出器および筐体の適用が、本発明の範囲内であることを容易に理解するであろう。本発明はＸ線撮像システムで使用するためのデジタルフラットパネル、固体状態の直接検出Ｘ線検出器に関して説明されているが、本発明は、間接検出デジタル検出器を含む他のタイプのＸ線検出器に等しく適用可能である。さらに、本発明は、静止または固定式の室内Ｘ線撮像システム、ならびに可搬型または移動型システムと共に使用することができる。さらに、本明細書に記載の本発明は、撮像「対象」ならびに撮像「対象物」を参照する。これらの用語は互いに排他的ではなく、したがって、用語の使用は互換可能であり、添付の特許請求の範囲を限定するものではない。本明細書で使用する場合、「実質的に」「一般に」、および「約」という用語は、構成要素またはアセンブリの機能的目的を達成するのに適した理想的な所望の条件に対して、合理的に達成可能な製造およびアセンブリ公差内の条件を示す。
【００１６】
図１を参照すると、例えば、Ｘ線検出器のような放射線撮影デバイス用の筐体１０が示されている。そこに示すように、筐体１０は、そのコーナーにレリーフ切欠き１４を有する材料の矩形シート１２から形成される。レリーフ切欠き１４は、後述するように、シートを曲げる前に形成またはノッチ加工されてもよい。シート１２は、それぞれのレリーフ切欠き１４の中間で上方に曲げられ、底部パネル１８および側壁２０を有する上部が開口した筐体を形成する。底部パネル１８および側壁２０は、本明細書では単一本体とも呼ばれる一体型本体を画定する。本明細書で使用する場合、一体型本体または単一本体は、溶接、接着剤、締結具などを使用する機械的な接合、接続などを伴わない単一の部品構成を意味する。一実施形態では、材料のシート１２は、例えば、約０．５ミリメートル〜約１．５ミリメートルの範囲の厚さを有するシート金属のような材料の薄いシートである。例えば、炭素繊維積層体と同様の剛性対重量比を有するマグネシウム−リチウム合金のような軽量合金を含む当技術分野で公知の他の材料もまた、本発明のより広い態様から逸脱することなく利用することができる。
【００１７】
ここで図２を参照すると、筐体１０、ならびにその底部パネル１８および１つの側壁２０の断面図が示されている。底部パネル１８は、実質的に平面であり、切欠き１４の間で上方に曲げられて側壁２０を形成する。図２に示すように、材料のシート１２は、得られる側壁が、筐体１０が載置される水平面に対して角度θを形成するように曲げられ、その目的は以下に説明される。一実施形態では、角度θは、０°より大きく９０°未満である。一実施形態では、角度θは、約１０°〜約８０°である。一実施形態では、角度θは、約２０°〜約７０°である。一実施形態では、角度θは、約３０°〜約６０°である。一実施形態では、角度θは、約４０°〜約５０°である。一実施形態では、角度θは、約４５°であってもよい。
【００１８】
図２をさらに参照すると、側壁２０は、底部パネル１８から延び、筐体１０が載置される水平面に対して角度θを形成する第１の上向き部分２２を含む。第１の上向き部分２２の端部は、筐体１０の内部に向かって回転され、底部パネル１８に向かって丸みを付けて戻り、戻り部分またはノーズ２４を形成する。戻り部分２４は、筐体１０の内部に向かって延び、底部パネル１８に実質的に平行に向けられる突出部２６を形成するように延びる。そこに示すように、また後述するように、突出部２６の上部面は、以下に詳細に説明するように、筐体１０の上部パネルを受け入れるためのフランジ２８を画定する。
【００１９】
ここで図３を参照すると、筐体１０は、側壁２０を曲げて成形した後、切欠き１４の各々に受け入れられるコーナー部材３０をさらに含む。図３に示すように、コーナー部材３０は、切欠き１４の形状に対応する形状と、側壁２０の断面に実質的に対応する断面とを有する。例えば、コーナー部材３０は、ほぼ平面の底部部分３２と、側壁部分３４とを含むことができる。側壁部分３４は、底部部分３２から斜めに延びる第１の上向き部分３６と、底部部分３２に向かって丸みを付けて戻る戻り部分またはノーズ３８と、フランジ４２を画定する上向き面を有する内向き突出部分４０とを含む。この点において、側壁部分３４は、側壁２０と実質的に同一の広がりである高さを有する。図３に示すように、コーナー部材３０は、切欠き１４に挿入され、それにより側壁２０のフランジ２８およびコーナー部材３０のフランジ４２が、筐体１０の上部パネル用の実質的に連続した支持面を画定する。
【００２０】
一実施形態では、コーナー部材３０の側壁部分３４および／または底部平面部分３２は、コーナー部材３０が側壁２０または底部パネル１８と少なくとも部分的に重なるように、対応する切欠き１４よりも寸法的に大きくてもよい。図３に示すように、例えば、底部平面部分３２は、底部パネル１８の上部または下部に位置する張り出し部分４４を含むことができる。
【００２１】
ここで図４を参照すると、一実施形態では、コーナー部材３０は、コーナー部材３０の底部部分３２の一部として形成された張り出し底部部分４６、ならびにコーナー部材３０の側壁部分３４の上向き部分３６の一部として形成された張り出し側壁部分４８を有することができる。この構成は、底部パネル１８および側壁２０に対してコーナー部材３０の側壁と底部の両方において重なりを提供する。
【００２２】
一実施形態では、コーナー部材３０と底部パネル１８および／または側壁２０との間の重なりは、約０ミリメートル〜約２０ミリメートルであってもよい。一実施形態では、重なりは、約５ミリメートル〜約１５ミリメートルであってもよい。一実施形態では、重なりは、約１０ミリメートルであってもよい。一実施形態では、重なりは、約１０ミリメートルよりも大きくてもよい。容易に理解されるように、重なりに対するより大きな表面積は、より強固な接続をもたらす。コーナー部材３０は、同様に、シート金属から形成されてもよいが、プラスチックまたは他の金属のような他の材料もまた、本発明のより広い態様から逸脱することなく利用することができると考えられる。いずれの実施態様においても、コーナー部材３０は、重なりの領域でエポキシまたは接着剤を使用して側壁２０および／または底部パネル１８に接合することができる。特定の実施形態では、コーナー部材を接合するために溶接を利用することができる。さらに他の実施形態では、接合は、液体ウレタン材料、ラミネーションまたは１つもしくは複数のステークの埋め込みを使用して行うことができる。接着剤を利用して、エポキシまたは溶接によりコーナー部材３０と底部パネル１８および側壁２０との間に実質的に流体密封性の接続が形成され、筐体１０への流体の漏れを防止する役割を果たす。さらに他の実施形態では、リベット、ねじまたは他の機械的締結具が、コーナー部材３０を底部パネル１８および側壁２０にしっかりと固定するために利用することができる。
【００２３】
最後に図５を参照すると、筐体１０は、上部パネル５２をさらに含む。一実施形態では、上部パネル５２は、Ｘ線透光性であり、例えば、炭素繊維強化ポリマーなどの光に対して不透明な材料から形成される。そこに示すように、上部パネル５２は、ノーズ２４によって画定された筐体の内周によって受け入れられるように寸法決めされる。上部パネル５２は、側壁２０およびコーナー部材３０のフランジ２８、４２によって画定された実質的に連続した支持面によって受け入れられて支持され、側壁２０と協働して、コーナー部材３０および底部パネル１８、ならびに内部空間６０を画定する。一実施形態では、上部パネル５２は、接着剤のビードまたは溶接によってフランジ２８、４２にしっかりと固定され、同様に、筐体１０内への流体の侵入を防止する流体密封性のシールを形成する。一実施形態では、上部パネル５２は、ねじまたはリベットのような機械的締結具を使用してフランジ２８、４２に固定されてもよい。いずれの実施態様においても、上部パネルの厚さならびに側壁２０およびコーナー部材３０のノーズおよびフランジの構成は、上部パネル５２がノーズ２４の最上部よりも低い位置に配置される（または凹んでいる）ようになっている。したがって、落下または他の衝撃の場合、上部パネル５２ではなく、丸みを付けたノーズ部分２４、２８が衝撃力を負うことになる。
【００２４】
図５をさらに参照すると、Ｘ線検出器１００および関連する電子機器を上部パネル５２の下面に取り付けることができるが、他の取り付け構成も同様に可能である。Ｘ線検出器１００は、例えば、非ガラス基板タイプのＸ線検出器を含む、当技術分野で公知の任意のタイプのものでよい。
【００２５】
したがって、本発明のＸ線検出器用の筐体１０は、（筐体の底部および側部を画定する）シート金属の単一本体、複数のユニバーサルコーナー部材、および上部パネルからなる（したがって、３つの異なる部品のみ）。筐体が矩形の形状である場合、したがって、筐体は、シート金属の単一本体と、４つのユニバーサルコーナー部材と、上部パネルとを含む。筐体の底部および側壁を画定するシート金属の単一本体を利用することにより、典型的には、上部、底部、側部およびコーナーに別個の部品を使用する既存の検出器筐体と比較して、製造が簡単になる。特に、本発明の筐体１０は、別個の縁部部品の異なる構成要素を削減して単なる別個のコーナー部材にすることを可能にし、必要な結合および機械加工の量を低減する。すなわち、曲げられたシート金属から形成された底部および側壁の単一本体を利用することにより、対応する機械加工および結合コストの増加を必要とせずに、必要な部品と結合の数の両方を低減することができる。さらに、コーナー部材は、形状が実質的に同一であり、筐体１０のコーナーのいずれかで使用することができることを意味する「ユニバーサル」なものであるため、コーナー部材は、機械加工、成形または鋳造などにより、より大きな容積で製造することができる。
【００２６】
当技術分野で今まで見られなかった製造の容易さおよびコストを提供することに加えて、本発明の筐体１０は、既存のデバイスと比較して、内部検出器に対する保護のレベルを高める。特に、側壁の屈曲部（特に、ノーズの存在）によって形成された凹みは、上部パネルをわずかに挿入し、側壁のノーズが衝撃を吸収することを可能にし、上部パネル自体が落下または衝撃の間に床または他の表面に直接接触することを防止する。さらに、単一本体のシート金属構成は、実際には、筐体１０自体が衝撃力を吸収することを可能にする。すなわち、シート金属は、衝撃に応じて凹んだりまたは変形することができ、衝撃力を囲まれた検出器１００に伝達するのではなく、衝撃力を吸収する。これは、可撓性、すなわち、非ガラス基板のＸ線検出器が利用される場合に特に有用である。特に、非ガラス検出器またはイメージャは、ガラス基板の対応物よりも柔軟性がある傾向にあり、保護ケースの絶対的な堅固性がもはや必要でないことを意味する。特定の実施形態では、コーナー部材をシート金属以外の材料、例えば、プラスチックから形成することにより、さらに大きな落下強度を得ることができる。
【００２７】
上で言及したように、コーナー部材３０と単一本体の底部パネル１８および側壁２０との重なり、ならびにコーナー部材３０および上部パネル５２を単一本体に接合するためのエポキシまたは接着剤の使用は、実質的に流体密封性の筐体をもたらす。単一本体の角度を付けた側壁２０（すなわち、水平に対して９０度未満の角度）は、特に表面から持ち上げるとき、筐体の把持および取り扱いを容易にする。
【００２８】
一実施形態では、放射線撮影デバイス用の筐体が提供される。筐体は、底部パネルと、底部パネルと一体的に形成された複数の側壁であって、複数の側壁および底部パネルは、一体型本体を画定する複数の側壁と、複数の側壁に接合され、放射線撮影デバイスを収容するためにそれらの間に内部空間を画定する上部パネルとを含む。一実施形態では、筐体は、複数の側壁の各側壁を分離する複数の切欠きと、各切欠き内に配置され、一体型本体に固定されたコーナー部材とを含む。一実施形態では、各コーナー部材は、実質的に同一である。一実施形態では、各コーナー部材は、接着剤およびエポキシのうちの１つで一体型本体に固定される。一実施形態では、一体型本体は、シート金属から形成される。一実施形態では、上部パネルは、炭素繊維強化ポリマーから形成される。一実施形態では、複数の側壁は各々、底部パネルから上方に延びる第１の上向き部分と、第１の上向き部分から底部パネルに向かって戻るように延び、丸みを付けたノーズを画定する戻り部分と、底部パネルにほぼ平行に戻り部分から延び、上部パネルを支持するためにフランジを画定する内向き突出部とを含む。一実施形態では、第１の上向き部分は、筐体を支持する水平面と９０度未満の角度を形成する。一実施形態では、フランジは、上部パネルが丸みを付けたノーズに対して挿入されるように、丸みを付けたノーズの上部の下方に垂直距離だけ離間される。一実施形態では、筐体は、内部空間内に受け入れられた非ガラスＸ線検出器をさらに含んでもよい。一実施形態では、筐体は、実質的に流体密封性である。一実施形態では、筐体は、実質的に矩形の形状であり、複数のコーナー部材は、４つのコーナー部材である。
【００２９】
別の実施形態では、放射線撮影デバイス用の筐体を製造する方法が提供される。方法は、材料のシートを曲げて複数の側壁および複数の側壁と一体的に形成された底部パネルを形成するステップと、コーナー部材を各側壁の間の切欠きに挿入するステップと、上部パネルを側壁およびコーナー部材に固定し、放射線撮影デバイスを受け入れるために上部パネル、底部パネル、および複数の側壁の間に内部空間を画定するステップとを含む。一実施形態では、方法は、材料のシートを曲げる前に、材料のシートのコーナーをノッチ加工して切欠きを形成するステップをさらに含んでもよい。一実施形態では、方法はまた、コーナー部材と底部パネルおよび側壁の少なくとも１つとの間に重なりを形成することと、コーナー部材と、重なりの領域で底部パネルおよび側壁の少なくとも１つとを接着することとを含んでもよい。一実施形態では、方法は、材料のシートを曲げて各側壁に底部パネルから上方に延びる第１の上向き部分、第１の上向き部分から底部パネルに向かって戻るように延び、丸みを付けたノーズを画定する戻り部分、および底部パネルにほぼ平行に戻り部分から延びる内向き突出部を設けることを含んでもよく、内向き突出部は、上部パネルを支持するためにフランジを画定する上面を含む。一実施形態では、第１の上向き部分は、筐体を支持する水平面と９０度未満の角度を形成する。一実施形態では、フランジは、上部パネルが丸みを付けたノーズに対して挿入されるように、丸みを付けたノーズの上部の下方に垂直距離だけ離間される。
【００３０】
さらに別の実施形態では、撮像システム用の検出器が提供される。検出器は、底部パネルと、底部パネルと一体的に形成された複数の側壁であって、複数の側壁および底部パネルは、材料の単一のシートから形成された一体型本体を画定する複数の側壁と、複数の側壁に接合され、それらの間に内部空間を画定する上部パネルと、内部空間内に収容された放射線撮影検出器とを含む。一実施形態では、検出器はまた、複数の側壁の各側壁を分離する複数の切欠きと、各切欠き内に配置され、一体型本体に固定されたコーナー部材とを含んでもよい。各側壁は、底部パネルから上方に延びる第１の上向き部分と、第１の上向き部分から底部パネルに向かって戻るように延び、丸みを付けたノーズを画定する戻り部分と、底部パネルにほぼ平行に戻り部分から延び、上部パネルを支持するためにフランジを画定する内向き突出部とを含んでもよい。
【００３１】
本明細書で使用する場合、単数形で列挙され、「１つの（ａ）」または「１つの（ａｎ）」という単語に続けられる要素またはステップは、このような除外が明示的に述べられない限り、複数の前記要素またはステップを除外しないと理解されるべきである。さらに、本発明の「一実施形態」への言及は、列挙された特徴をも組み込む追加の実施形態の存在を除外するものとして解釈されることを意図しない。また、明示的に反対の記載がない限り、特定の特性を有する要素または複数の要素を「備える（ｃｏｍｐｒｉｓｉｎｇ）」、「含む（ｉｎｃｌｕｄｉｎｇ）」、または「有する（ｈａｖｉｎｇ）」実施形態は、その特性を有さない追加のそのような要素を含むことができる。
【００３２】
本明細書は実施例を用いて最良の形態を含む本発明のいくつかの実施形態を開示し、当業者によって任意のデバイスまたはシステムの作製および使用ならびに任意の組み込まれた方法の実行を含む本発明の実施形態を具体化させる。本発明の特許可能な範囲は、特許請求の範囲によって定義され、当業者が想到する他の実施例を含むことができる。そのような他の実施例は、それらが特許請求の範囲の文言から相違しない構造要素を有する場合、または特許請求の範囲の文言から実質的には相違しない同等の構造要素を含む場合、特許請求の範囲の技術的範囲に包含される。
［実施態様１］
放射線撮影デバイス（１００）用の筐体（１０）であって、
底部パネル（１８）と、
前記底部パネル（１８）と一体的に形成された複数の側壁（２０）であって、前記複数の側壁（２０）および前記底部パネル（１８）は、一体型本体を画定する複数の側壁（２０）と、
前記底部パネル（１８）に対向して前記複数の側壁（２０）に接合され、放射線撮影デバイス（１００）を収容するためにそれらの間に内部空間（６０）を画定する上部パネル（５２）と
を備える、筐体（１０）。
［実施態様２］
前記複数の側壁（２０）の各側壁（２０）を分離する複数の切欠き（１４）と、
各切欠き（１４）内に配置され、前記一体型本体に固定されたコーナー部材（３０）と
をさらに備える、実施態様１に記載の筐体（１０）。
［実施態様３］
各コーナー部材（３０）が、実質的に同一である、実施態様１に記載の筐体（１０）。
［実施態様４］
各コーナー部材（３０）が、接着剤、エポキシ、ろう付け、溶接、液体ウレタン材料の埋め込み、ラミネーションおよびステークのうちの１つで前記一体型本体に接合される、実施態様３に記載の筐体（１０）。
［実施態様５］
前記一体型本体が、シート金属から形成される、実施態様１に記載の筐体（１０）。
［実施態様６］
前記上部パネル（５２）が、炭素繊維強化ポリマーから形成される、実施態様５に記載の筐体（１０）。
［実施態様７］
前記複数の側壁（２０）が各々、前記底部パネル（１８）から上方に延びる第１の上向き部分（２２）と、前記第１の上向き部分（２２）から前記底部パネル（１８）に向かって戻るように延び、丸みを付けたノーズ（２４）を画定する戻り部分（２４）と、前記底部パネル（１８）にほぼ平行に前記戻り部分（２４）から延び、前記上部パネル（５２）を支持するためにフランジ（２８）を画定する内向き突出部（２６）とを含む、実施態様１に記載の筐体（１０）。
［実施態様８］
前記第１の上向き部分（２２）が、前記筐体（１０）を支持する水平面と９０度未満の角度を形成する、実施態様７に記載の筐体（１０）。
［実施態様９］
前記フランジ（２８）が、前記上部パネル（５２）が前記丸みを付けたノーズ（２４）に対して挿入されるように、前記丸みを付けたノーズ（２４）の上部の下方に垂直距離だけ離間される、実施態様７に記載の筐体（１０）。
［実施態様１０］
前記内部空間（６０）内に受け入れられた非ガラスＸ線検出器をさらに備える、実施態様１に記載の筐体（１０）。
［実施態様１１］
前記筐体（１０）が、実質的に流体密封性である、実施態様１に記載の筐体（１０）。
［実施態様１２］
前記筐体（１０）が、実質的に矩形の形状であり、
前記複数のコーナー部材（３０）が、４つのコーナー部材（３０）である、実施態様１に記載の筐体（１０）。
［実施態様１３］
放射線撮影デバイス（１００）用の筐体（１０）を製造する方法であって、
材料のシート（１２）を曲げて複数の側壁（２０）および前記複数の側壁（２０）と一体的に形成された底部パネル（１８）を形成するステップと、
コーナー部材（３０）を各側壁（２０）の間の切欠き（１４）に挿入するステップと、
上部パネル（５２）を前記側壁（２０）および前記コーナー部材（３０）に固定し、放射線撮影デバイス（１００）を受け入れるために前記上部パネル（５２）、底部パネル（１８）、および複数の側壁（２０）の間に内部空間（６０）を画定するステップと
を含む、方法。
［実施態様１４］
前記材料のシート（１２）を曲げる前に、前記材料のシート（１２）のコーナーをノッチ加工して前記切欠き（１４）を形成するステップをさらに含む、実施態様１３に記載の方法。
［実施態様１５］
前記コーナー部材（３０）と前記底部パネル（１８）および前記側壁（２０）の少なくとも１つとの間に重なりを形成するステップと、
前記コーナー部材（３０）と、前記重なりの領域で前記底部パネル（１８）および前記側壁（２０）の前記少なくとも１つとを接着するステップと
をさらに含む、実施態様１４に記載の方法。
［実施態様１６］
前記材料のシート（１２）を曲げて各側壁（２０）に前記底部パネル（１８）から上方に延びる第１の上向き部分（２２）、前記第１の上向き部分（２２）から前記底部パネル（１８）に向かって戻るように延び、丸みを付けたノーズ（２４）を画定する戻り部分（２４）、および前記底部パネル（１８）にほぼ平行に前記戻り部分（２４）から延びる内向き突出部（２６）を設けるステップをさらに含み、
前記内向き突出部（２６）が、前記上部パネル（５２）を支持するためにフランジ（２８）を画定する上面を含む、実施態様１３に記載の方法。
［実施態様１７］
前記第１の上向き部分（２２）が、前記筐体（１０）を支持する水平面と９０度未満の角度を形成する、実施態様１６に記載の方法。
［実施態様１８］
前記フランジ（２８）が、前記上部パネル（５２）が前記丸みを付けたノーズ（２４）に対して挿入されるように、前記丸みを付けたノーズ（２４）の上部の下方に垂直距離だけ離間される、実施態様１６に記載の方法。
［実施態様１９］
撮像システム用の検出器（１００）であって、
底部パネル（１８）と、
前記底部パネル（１８）と一体的に形成された複数の側壁（２０）であって、前記複数の側壁（２０）および前記底部パネル（１８）は、材料の単一のシート（１２）から形成された一体型本体を画定する複数の側壁（２０）と、
前記底部パネル（１８）に対向して前記複数の側壁（２０）に接合され、それらの間に内部空間（６０）を画定する上部パネル（５２）と、
前記内部空間（６０）内に収容された放射線撮影検出器と
を備える、検出器（１００）。
［実施態様２０］
前記複数の側壁（２０）の各側壁（２０）を分離する複数の切欠き（１４）と、
各切欠き（１４）内に配置され、前記一体型本体に固定されたコーナー部材（３０）と
をさらに備え、
各側壁（２０）が、前記底部パネル（１８）から上方に延びる第１の上向き部分（２２）と、前記第１の上向き部分（２２）から前記底部パネル（１８）に向かって戻るように延び、丸みを付けたノーズ（２４）を画定する戻り部分（２４）と、前記底部パネル（１８）にほぼ平行に前記戻り部分（２４）から延び、前記上部パネル（５２）を支持するためにフランジ（２８）を画定する内向き突出部（２６）と
を含む、実施態様１９に記載の検出器（１００）。
【符号の説明】
【００３３】
１０  筐体
１２  シート
１４  切欠き
１８  底部パネル
２０  側壁
２２  第１の上向き部分
２４  戻り部分、ノーズ
２６  突出部
２８  フランジ
３０  コーナー部材
３２  底部部分
３４  側壁部分
３６  第１の上向き部分
３８  戻り部分、ノーズ
４０  内向き突出部分
４２  フランジ
４４  張り出し部分
４６  張り出し底部部分
４８  張り出し側壁部分
５２  上部パネル
６０  内部空間
１００  Ｘ線検出器、放射線撮影デバイス
【図１】
2019090784.tif 000003
【図２】
2019090784.tif 000004
【図３】
2019090784.tif 000005
【図４】
2019090784.tif 000006
【図５】
2019090784.tif 000007
【外国語明細書】
2019090784000001.pdf